(57)【要約】【課題】オプション機能を備えた射出成形機において、金型装置が破損するのを防止することができるようにする。【解決手段】操作者による操作部３２の操作に基づいて表示部３１に形成される設定確認画面において、金型装置の内部構造に関して設定されたオプション機能について、オプション機能の名称、オプション機能の設定状態、オプション機能を設定するための設定画面の名称、及びオプション機能を設定するための操作部３２の操作要素が一覧で表示される。オプション機能の名称、設定状態、設定画面の名称、及び操作部３２の操作要素が設定確認画面に一覧で表示されるので、前回の成形時に選択されたオプション機能の設定が残っているかどうかの設定状態を確認することができる。【選択図】図１
2010105280.tif 000002
【特許請求の範囲】
【請求項１】
操作者による操作部の操作に基づいて表示部に形成される設定確認画面において、
金型装置の内部構造に関して設定されたオプション機能について、オプション機能の名称、オプション機能の設定状態、オプション機能を設定するための設定画面の名称、及びオプション機能を設定するための操作部の操作要素が一覧で表示されることを特徴とする設定確認画面。
【請求項２】
（ａ）操作者による操作部の操作に基づいて、設定確認条件が成立したかどうかを判断する設定確認条件判断処理手段と、
（ｂ）前記設定確認条件が成立した場合に、表示部に設定確認画面を形成する画面形成処理手段と、
（ｃ）金型装置の内部構造に関して設定されたオプション機能について、オプション機能の名称、オプション機能の設定状態、オプション機能を設定するための設定画面の名称、及びオプション機能を設定するための操作部の操作要素を、前記設定確認画面に一覧で表示する表示処理手段とを有することを特徴とする射出成形機。
【請求項３】
前記オプション機能を設定するための設定画面は、設定画面を基本設定画面から補足設定画面に遷移させることによって形成される請求項２に記載の射出成形機。
【請求項４】
前記オプション機能を設定するための操作部の操作要素は、基本設定画面を選択するための操作要素、及び設定画面を基本設定画面から補足設定画面に遷移させるための操作要素から成る請求項２に記載の射出成形機。
【請求項５】
操作者による操作部の操作に基づいて、設定確認条件が成立したかどうかを判断し、該設定確認条件が成立すると、表示部に設定確認画面を形成し、金型装置の内部構造に関して設定されたオプション機能について、オプション機能の名称、オプション機能の設定状態、オプション機能を設定するための設定画面の名称、及びオプション機能を設定するための操作部の操作要素を、前記設定確認画面に一覧で表示することを特徴とする設定確認画面の表示方法。
【発明の詳細な説明】
【技術分野】
【０００１】
本発明は、設定確認画面、射出成形機及び設定確認画面の表示方法に関するものである。
【背景技術】
【０００２】
従来、成形機、例えば、射出成形機においては、加熱シリンダ内において加熱され溶融させられた樹脂が金型装置内のキャビティ空間に充填され、該キャビティ空間内において冷却され、固化されて成形品が成形されるようになっている。
【０００３】
前記射出成形機は、前記金型装置、型締装置及び射出装置を有し、該射出装置は、前記加熱シリンダ、該加熱シリンダの前端に取り付けられ、溶融させられた樹脂を射出する射出ノズル、前記加熱シリンダ内において回転自在に、かつ、進退自在に配設されたスクリュー等を備える。そして、前記金型装置は固定金型及び可動金型を備え、前記型締装置によって可動金型を進退させることにより、金型装置の型閉じ、型締め及び型開きが行われ、型締めに伴って、前記固定金型と可動金型との間にキャビティ空間が形成される。
【０００４】
計量工程時に、前記スクリューが回転させられると、前記溶融させられた樹脂がスクリューの前方に溜められ、それに伴ってスクリューが後退させられ、この間に、金型装置の型閉じ及び型締めが行われる。続いて、射出工程時に、前記スクリューが前進させられ、該スクリューの前方に溜められた樹脂が射出ノズルから射出され、キャビティ空間に充填される。次に、冷却工程時に、前記キャビティ空間内の樹脂が冷却され固化されて、成形品が成形される。続いて、型開きが行われ、前記成形品が取り出される。
【０００５】
ところで、前記金型装置においては、成形品に対してゲートカットを行ったり、穴開け加工を行ったりするために、ゲート、キャビティ空間等に臨ませてエジェクタピン等の加工部材が配設されることがある。その場合、型締め時の所定のタイミングで前記加工部材を前進させて所定の位置に置き、型開き時の所定のタイミングで前記加工部材を後退させて元の位置に置くようにしている（型締中突出し）。
【０００６】
そして、射出成形機には、加工部材を備えた金型装置等を必要に応じて使用することができるようにオプション機能が備えられる。この種の射出成形機においては、固定プラテン又は可動プラテンに、油圧式、空圧式、電動式等の突出機構が配設され、該突出機構を作動させることによって、前記加工部材を進退させるようになっている（例えば、特許文献１参照。）。
【特許文献１】特開平５−１６９５２４号公報
【発明の開示】
【発明が解決しようとする課題】
【０００７】
しかしながら、前記従来のオプション機能を備えた射出成形機においては、前回の成形時に加工部材を備えた金型装置を使用し、今回の成形時に加工部材を備えていない金型装置を使用する場合、前回の成形時の設定、例えば、加工部材を進退させる設定が残っていると、加工部材を備えていない金型装置が使用されているにもかかわらず突出機構を作動させてしまうことになり、金型装置を破損させてしまう。
【０００８】
本発明は、前記従来の射出成形機の問題点を解決して、オプション機能を備えた射出成形機において、金型装置が破損するのを防止することができる設定確認画面、射出成形機及び設定確認画面の表示方法を提供することを目的とする。
【課題を解決するための手段】
【０００９】
そのために、本発明の設定確認画面においては、操作者による操作部の操作に基づいて表示部に形成されるようになっている。
【００１０】
そして、金型装置の内部構造に関して設定されたオプション機能について、オプション機能の名称、オプション機能の設定状態、オプション機能を設定するための設定画面の名称、及びオプション機能を設定するための操作部の操作要素が一覧で表示される。
【発明の効果】
【００１１】
本発明によれば、設定確認画面においては、操作者による操作部の操作に基づいて表示部に形成されるようになっている。
【００１２】
そして、金型装置の内部構造に関して設定されたオプション機能について、オプション機能の名称、オプション機能の設定状態、オプション機能を設定するための設定画面の名称、及びオプション機能を設定するための操作部の操作要素が一覧で表示される。
【００１３】
この場合、オプション機能について、オプション機能の名称、オプション機能の設定状態、オプション機能を設定するための設定画面の名称、及びオプション機能を設定するための操作部の操作要素が設定確認画面に一覧で表示されるので、前回の成形時に選択されたオプション機能の設定が残っているかどうかの設定状態を確認することができる。したがって、例えば、加工部材を備えていない金型装置が使用されているにもかかわらず突出機構を作動させてしまうことがなくなり、金型装置を破損させることがない。
【発明を実施するための最良の形態】
【００１４】
以下、本発明の実施の形態について図面を参照しながら詳細に説明する。この場合、成形機としての射出成形機について説明する。
【００１５】
図１は本発明の実施の形態における射出成形機の制御ブロック図、図２は本発明の実施の形態における射出成形機の斜視図、図３は本発明の実施の形態における制御パネルの例を示す図である。
【００１６】
図において、１１は射出成形機、１２は射出装置、２１は型開閉装置、２７は制御部、３０は前記射出成形機１１を支持するフレームであり、前記型開閉装置２１は図示されない金型装置及び型締装置２２を備え、前記制御部２７は演算装置としてのＣＰＵ５３、及び記録部としての、かつ、記憶装置としてのメモリ５４を備える。また、２８は前記射出装置１２と型開閉装置２１との間に配設された制御パネル、３１は表示部、３２は操作部、４１は計量用の駆動部としての計量用モータ、４３は射出用の駆動部としての射出用モータ、４５は型締用の駆動部としての型締用モータ、５２は各種のセンサによって構成される検出部である。
【００１７】
前記射出装置１２は、シリンダ部材としての加熱シリンダ１３、該加熱シリンダ１３の前端に取り付けられたノズル部材としての図示されない射出ノズル、前記加熱シリンダ１３内において回転自在に、かつ、進退自在に配設された射出部材としての図示されないスクリュー、前記加熱シリンダ１３の後端部に配設され、加熱シリンダ１３内に成形材料としての樹脂を供給するホッパ１７、前記スクリューを回転させたり、前進させたりするための駆動装置１４等を備える。該駆動装置１４は、前記スクリューを回転させるための前記計量用モータ４１、前記スクリューを前進させるための前記射出用モータ４３等を備える。
【００１８】
まず、計量工程時に、前記計量用モータ４１を駆動して、スクリューを正回転させると、ホッパ１７から加熱シリンダ１３内に供給された樹脂が加熱され、溶融させられて図示されないスクリューヘッドの前方に溜められ、射出工程時に、前記射出用モータ４３を駆動して、スクリューを前進させると、スクリューヘッドの前方に溜められた樹脂が射出ノズルから射出され、金型装置内のキャビティ空間に充填される。
【００１９】
また、前記型開閉装置２１は前記金型装置及び型締装置２２を備え、前記金型装置は第１の金型としての固定金型及び第２の金型としての可動金型を備える。そして、前記型締装置２２は、固定支持部材としての固定プラテン２３、可動支持部材としての可動プラテン２４、該可動プラテン２４を進退させる型開閉機構としてのトグル機構２５、前記型締用モータ４５等を備え、固定プラテン２３に前記固定金型が、可動プラテン２４に前記可動金型が取り付けられる。
【００２０】
前記構成の型締装置２２において、型締用モータ４５を駆動すると、トグル機構２５が伸展させられ、可動プラテン２４が前進させられて型閉じが行われ、固定金型に可動金型が当接させられる。続いて、型締用モータ４５を更に駆動すると、トグル機構２５において型締力が発生させられ、該型締力で固定金型に可動金型が押し付けられて型締めが行われ、固定金型と可動金型との間に前記キャビティ空間が形成される。また、型締用モータ４５を逆方向に駆動すると、トグル機構２５が屈曲させられ、可動プラテン２４が後退させられ、型開きが行われる。
【００２１】
そして、前記型締めが行われた状態で、前記射出ノズルから樹脂が射出され、前記キャビティ空間に充填され、冷却され、固化されると、成形品が成形される。
【００２２】
ところで、本実施の形態においては、金型装置に特殊な機能を持たせるために、金型装置の内部構造に関してオプション機能が設定されるようになっている。
【００２３】
例えば、前記金型装置においては、アンダーカット部を備えた成形品を成形するために、スライドコア部、入れ子等が進退自在に配設されたり、中空部を備えた成形品を成形するために、中子が進退自在に配設されたりすることがある。その場合、オプション機能が設定され、型閉じ時の所定のタイミングで、前記スライドコア部、入れ子、中子等のコア部材が前進させられて所定の位置に置かれ、型開き時の所定のタイミングで前記コア部材が後退させられて元の位置に置かれる（コアトラクション）。
【００２４】
また、前記金型装置においては、成形品に対してゲートカットを行ったり、穴開け加工を行ったりするために、ゲート、キャビティ空間等に臨ませてエジェクタピン等の加工部材が配設されることがある。その場合、オプション機能が設定され、型締め時の所定のタイミングで前記加工部材が前進させられて所定の位置に置かれ、型開き時の所定のタイミングで前記加工部材が後退させられて元の位置に置かれる（型締中突出し）。
【００２５】
本実施の形態において、前記射出成形機１１は、第１のオプション機能を備え、コア部材を備えた金型装置が使用されたときに、所定のタイミングでコア部材を進退させるようになっている。そのために、型締装置２２における固定プラテン２３又は可動プラテン２４に、油圧式、空圧式、電動式等の図示されないコア部材駆動機構が配設される。
【００２６】
また、前記射出成形機１１は、第２のオプション機能を備え、加工部材を備えた金型装置が使用されたときに、所定のタイミングで加工部材を進退させるようになっている。そのために、型締装置２２における固定プラテン２３又は可動プラテン２４に、油圧式、空圧式、電動式等の図示されない突出機構が配設される。
【００２７】
ところで、所定の成形品について射出成形を行うに当たり、射出成形機１１を動作させるための各種の条件、すなわち、成形条件が設定される。そのために、全自動成形を開始する前に、半自動成形が行われ、成形条件の初期設定、すなわち、成形条件出しが行われる。
【００２８】
該成形条件出しは、操作者が操作部３２を操作することによって、全自動成形が開始される前に良好な成形品、すなわち、良品が得られるように、各種の設定項目についてあらかじめ設定された基本的な成形条件を変更することにより行われる。また、全自動成形が開始された後も、不良な成形品、すなわち、不良品が成形されると、その都度、操作者が操作部３２を操作することによって、成形条件が変更される。
【００２９】
そのために、前記制御パネル２８は、表示部３１及び操作部３２を備え、操作者が操作部３２を操作することによって前記表示部３１に各種の設定画面を形成し、各種の設定を行うことができるようになっている。なお、本実施の形態においては、表示部３１はタッチパネルによって形成され、操作部としても機能する。
【００３０】
本実施の形態においては、図３に示されるように、操作部３２の領域ＡＲ１に、機能を選択し、所定の設定画面を形成するための操作要素としての機能キー「Ｆ１」、「Ｆ２」、「Ｆ３」、「Ｆ４」、「Ｆ５」、「Ｆ６」、「Ｆ７」、「Ｆ８」、「Ｆ９」、「ＣＴＲＬ」及び「ＳＨＩＦＴ」が、領域ＡＲ２に、設定画面を遷移させるための第１、第２の操作要素としてのアップキー「ＵＰ」及びダウンキー「ＤＯＷＮ」が、領域ＡＲ３に、カーソルを移動させるための操作要素としてのカーソル移動キーが、領域ＡＲ４に、射出成形機を動作させるための動作キーが、領域ＡＲ５に、設定内容を数値で入力するための操作要素としての入力キーが配設される。なお、該入力キーには、数字キー「０」〜「９」のほかに、小数点キー、クリアキー「ＡＣ」、「Ｃ」、入力用の確定操作要素としての実行キーｋ１１及びヘルプキー（ＨＥＬＰ）ｋ１２が配設される。また、領域ＡＲ６には、アラーム表示部が配設されるとともに、アラームに応答するための操作要素としての応答キーが配設される。
【００３１】
したがって、操作者が、領域ＡＲ１における所定の機能キーを押下し、必要に応じて、領域ＡＲ２におけるアップキー「ＵＰ」又はダウンキー「ＤＯＷＮ」を押下すると、ＣＰＵ５３の図示されない画面形成処理手段（画面形成処理部）は、画面形成処理を行い、表示部３１に段取、型開閉、可塑化、温度、一覧設定、波形表示、品質管理、生産管理、設定確認等の設定を行うための所定の設定画面を形成し、ＣＰＵ５３の図示されない表示処理手段（表示処理部）は、表示処理を行い、前記設定画面の領域ＡＲ１１に設定画面についての説明を、領域ＡＲ１２に各設定項目の欄を、領域ＡＲ１３に前記各機能キー「Ｆ１」、「Ｆ２」、「Ｆ３」、「Ｆ４」、「Ｆ５」、「Ｆ６」、「Ｆ７」、「Ｆ８」、「Ｆ９」に対応させて、「段取」、「型開閉」、「可塑化」、「温度」、「一覧設定」、「波形表示」、「品質管理」、「生産管理」及び「設定確認」の各キーを表示するとともに、前記各設定項目の欄に成形条件の設定内容を表示する。
【００３２】
前記「段取」、「型開閉」、「可塑化」、「温度」、「一覧設定」、「波形表示」、「品質管理」、「生産管理」及び「設定確認」の各キーは、操作者がタッチすることによって所定の設定画面を選択するための操作要素としても機能する。なお、前記設定確認は、射出成形機１１の設定を行うためのキーである。
【００３３】
そして、操作者が、領域ＡＲ３において所定のカーソル移動キーを押下してカーソルを所定の設定項目に移動させ、領域ＡＲ５において所定の入力キーを押下して、設定項目について設定内容を入力し、前記実行キーｋ１１を押下すると、前記ＣＰＵ５３の図示されない成形条件設定処理手段（成形条件設定処理部）は、成形条件設定処理を行い、入力された設定内容で成形条件を設定したり、あらかじめ設定された成形条件を変更したりする。
【００３４】
なお、一つの設定項目について設定内容を入力するたびに、実行キーｋ１１を押下すると、一つずつ成形条件を設定したり、変更したりすることができ、複数の設定項目について設定内容を入力した後に、実行キーｋ１１を押下すると、複数の設定項目について一括して成形条件を設定したり、変更したりすることができる。
【００３５】
そして、前記表示処理手段は、形成された設定画面において、各設定項目について設定されたり、変更されたりした成形条件の設定内容を表示する。
【００３６】
ところで、操作者が機能キー「Ｆ１」、「Ｆ２」、「Ｆ３」、「Ｆ４」、「Ｆ５」、「Ｆ６」、「Ｆ７」、「Ｆ８」、「Ｆ９」を押下するか、又は領域ＡＲ１３の所定のキーをタッチすると、前記画面形成処理手段は、表示部３１に、前記段取、型開閉、可塑化、温度、一覧設定、波形表示、品質管理、生産管理、設定確認等の各設定を行うための基本的な設定画面、すなわち、基本設定画面、本実施の形態においては、段取画面、型開閉画面、可塑化画面、温度画面、一覧設定画面、波形表示画面、品質管理画面、生産管理画面、設定確認画面等を形成する。
【００３７】
そして、前記基本設定画面が形成されているときに、操作者が前記アップキー「ＵＰ」又はダウンキー「ＤＯＷＮ」を押下すると、前記画面形成処理手段は、設定画面を遷移させ、前記各設定を行うための補足的な設定画面、すなわち、補足設定画面を形成する。
【００３８】
図４は本発明の実施の形態における設定画面の遷移の体系図である。
【００３９】
例えば、操作者が、樹脂を交換したり、金型装置を交換したりする際の成形条件を設定するために、領域ＡＲ１３において「段取」キーをタッチすると、基本設定画面として段取画面が形成され、その状態で、操作者がダウンキー「ＤＯＷＮ」を押下すると、補足設定画面として準備設定画面が形成される。操作者は、前記準備設定画面において準備モード時の成形条件を設定することができる。なお、前記準備設定画面が形成されている状態で、操作者がアップキー「ＵＰ」を押下すると、元の段取画面が形成される。
【００４０】
また、操作者が、金型装置又は突出機構についての成形条件を設定するために、領域ＡＲ１３において「型開閉」キーをタッチすると、基本設定画面として型開閉画面が形成され、その状態で、操作者がアップキー「ＵＰ」を押下すると、補足設定画面として、かつ、第１のオプション画面として型開閉オプション画面が形成される。該型開閉オプション画面において、操作者は、射出成形機１１の第１のオプション機能を選択し、コア部材を進退させるために、型開閉の一時停止、バルブゲート回路等のための成形条件を設定することができる。
【００４１】
これに対して、前記型開閉画面が形成されている状態で、操作者がダウンキー「ＤＯＷＮ」を押下すると、補足設定画面として金型保護画面が形成され、該金型保護画面が形成されている状態で、操作者が、更にダウンキー「ＤＯＷＮ」を押下すると、補足設定画面としてエジェクタ詳細画面が形成され、該エジェクタ詳細画面が形成されている状態で、操作者が、更にダウンキー「ＤＯＷＮ」を押下すると、補足設定画面として、かつ、第２のオプション画面として型締中突出画面が形成される。操作者は、前記金型保護画面において、突出機構についての成形条件を設定することができ、エジェクタ詳細画面において、エジェクタピンについての成形条件を詳細に設定することができ、型締中突出画面において、射出成形機１１の第２のオプション機能を選択し、型締中にエジェクタピンを突き出すための成形条件を設定することができる。
【００４２】
また、操作者が、半自動成形時及び全自動成形時の射出装置１２についての成形条件を設定するために、領域ＡＲ１３において「可塑化」キーをタッチすると、基本設定画面として可塑化画面が形成され、その状態で、操作者がアップキー「ＵＰ」を押下すると、補足設定画面としてオプション制御画面が形成され、該オプション制御画面が形成されている状態で、操作者が、更にアップキー「ＵＰ」を押下すると、補足設定画面としてオプション制御立上画面が形成される。操作者は、前記オプション制御画面において図示されない逆流防止装置の制御を選択し、オプション制御立上画面において逆流防止装置の制御を立ち上げることができる。
【００４３】
これに対して、前記可塑化画面が形成されている状態で、操作者が、ダウンキー「ＤＯＷＮ」を押下すると、補足設定画面として可塑化詳細画面が形成され、該可塑化詳細画面が形成されている状態で、操作者が、更にダウンキー「ＤＯＷＮ」を押下すると、補足設定画面としてマルチトグル画面が形成される。操作者は、前記可塑化詳細画面において、半自動成形時及び全自動成形時の射出装置１２についての詳細な成形条件を設定することができ、前記マルチトグル画面において、型締力を段階的に変化させるマルチトグルモードを設定することができる。
【００４４】
また、操作者が、加熱シリンダ１３、射出ノズル等の温度制御について成形条件を設定するために、領域ＡＲ１３において「温度」キーをタッチすると、基本設定画面として温度画面が形成され、その状態で、操作者がアップキー「ＵＰ」を押下すると、補足設定画面として金型温度画面が形成される。該金型温度画面において、操作者は、金型装置の温度制御についての成形条件を設定することができる。
【００４５】
これに対して、前記温度画面が形成されている状態で、操作者がダウンキー「ＤＯＷＮ」を押下すると、補足設定画面としてヒータ断線画面が形成される。操作者は、前記ヒータ断線画面において、ヒータが断線したかどうかを監視するための電流値を設定することができる。
【００４６】
ところで、本実施の形態においては、前述されたように、射出成形機１１の第１、第２のオプション機能を選択することができるようになっている。そのために、型開閉画面に対して設定画面を基本設定画面から補足設定画面に遷移させることができ、型開閉オプション画面において第１のオプション機能を、型締中突出画面において第２のオプション機能を選択することができる。
【００４７】
図５は本発明の実施の形態における型開閉の設定を行う際の設定画面の遷移の例を示す第１の図、図６は本発明の実施の形態における型開閉の設定を行う際の設定画面の遷移の例を示す第２の図、図７は本発明の実施の形態における型開閉の設定を行う際の設定画面の遷移の例を示す第３の図、図８は本発明の実施の形態における型開閉の設定を行う際の設定画面の遷移の例を示す第４の図、図９は本発明の実施の形態における型開閉の設定を行う際の設定画面の遷移の例を示す第５の図、図１０は本発明の実施の形態における型開閉の設定を行う際の設定画面の遷移の例を示す第６の図である。
【００４８】
この場合、操作者が領域ＡＲ１３において「型開閉」キーをタッチすると、前記画面形成処理手段は、図５に示されるような型開閉画面ｇ１を形成し、該型開閉画面ｇ１が形成されている状態で、操作者がアップキー「ＵＰ」を押下すると、前記画面形成処理手段は、図６に示されるような型開閉オプション画面ｇ２を形成する。
【００４９】
そして、該型開閉オプション画面ｇ２における領域ＡＲ１２に、コア部材駆動機構についての成形条件の設定（コアトラ設定）を行うための領域ｊ１が形成され、前記表示処理手段は、前記領域ｊ１に、例えば、コア部材を進退させるかどうかを設定するための設定項目、並びに型閉じ及び型開きを一時的に停止させるかどうか、停止させる位置、停止させる時間等を設定するための設定項目を表示する。
【００５０】
操作者が、前記型開閉オプション画面ｇ２において、コア部材駆動機構についての成形条件の設定を行い、ダウンキー「ＤＯＷＮ」を押下すると、前記画面形成処理手段は、図７に示されるような型開閉画面ｇ１を形成し、該型開閉画面ｇ１が形成されている状態で、操作者がダウンキー「ＤＯＷＮ」を更に押下すると、前記画面形成処理手段は、図８に示されるような金型保護画面ｇ３を形成し、該金型保護画面ｇ３が形成されている状態で、操作者がダウンキー「ＤＯＷＮ」を更に押下すると、前記画面形成処理手段は、図９に示されるようなエジェクタ詳細画面ｇ４を形成し、該エジェクタ詳細画面ｇ４が形成されている状態で、操作者がダウンキー「ＤＯＷＮ」を更に押下すると、前記画面形成処理手段は、図１０に示されるような型締中突出画面ｇ５を形成する。
【００５１】
そして、該型締中突出画面ｇ５おける領域ＡＲ１２に、突出機構についての成形条件の設定（型締中突出設定）を行うための領域ｊ２が形成され、前記表示処理手段は、前記領域ｊ２に、例えば、型締中に加工部材を進退させるかどうかを設定するための設定項目、並びに加工部材を進退させる位置、時間、速度及び圧力を設定するための設定項目を表示する。
【００５２】
このようにして、操作者は、前記型開閉オプション画面ｇ２において、コア部材駆動機構によってコア部材を進退させるための成形条件の設定を行い、前記型締中突出画面ｇ５において、突出機構によって加工部材を進退させるための成形条件の設定を行うことができる。
【００５３】
ところで、前記第１、第２のオプション機能を備えた射出成形機１１においては、前回の成形時にコア部材又は加工部材を備えた金型装置を使用し、今回の成形時にコア部材又は加工部材を備えていない金型装置を使用する場合、前回の成形時に選択された第１、第２のオプション機能の設定、例えば、コア部材又は加工部材を進退させる設定が残っていると、コア部材又は加工部材を備えていない金型装置が使用されているにもかかわらずコア部材駆動機構又は突出機構を作動させてしまうことになり、金型装置を破損させてしまう。
【００５４】
そこで、本実施の形態においては、成形が開始される前に、所定の設定確認条件が成立すると、表示部３１に設定確認画面が形成され、前回の成形時の設定を確認することができるようになっている。
【００５５】
図１１は本発明の実施の形態における設定確認画面の例を示す図である。
【００５６】
本実施の形態においては、機能キー「Ｆ９」（図３）及び領域ＡＲ１３における「設定確認」キーが設定確認用の操作要素として機能し、制御部２７の図示されない設定確認条件判断処理手段（設定確認条件判断処理部）は、設定確認条件判断処理を行い、操作者が、機能キー「Ｆ９」を押下するか、又は「設定確認」キーをタッチするかどうかによって設定確認条件が成立したかどうかを判断する。操作者が、機能キー「Ｆ９」を押下するか、又は「設定確認」キーをタッチするかして、設定確認条件が成立すると、前記画面形成処理手段は、表示部３１に設定確認画面ｇ６を形成し、前記表示処理手段は、各種のオプション機能について、設定状態を表示する。
【００５７】
本実施の形態において、前記表示処理手段は、各オプション機能について、オプション機能の名称を表示部位ｈ１に、オプション機能の設定状態を表示部位ｈ２に、オプション機能を設定するための画面の名称を表示部位ｈ３に、オプション機能を設定するための機能キー、アップキー「ＵＰ」又はダウンキー「ＤＯＷＮ」を表示部位ｈ４に一覧で表示する。
【００５８】
前述されたように、第１、第２のオプション機能が設定されている場合、表示部位ｈ１の「コアトラクタ１」及び「型締中エジェクタ」が、表示部位ｈ２で「入」になっている。
【００５９】
そこで、操作者は、表示部位ｈ４に表示された機能キー、アップキー「ＵＰ」又はダウンキー「ＤＯＷＮ」を操作して、表示部位ｈ３に表示された画面を呼び出し、第１、第２のオプション機能の設定を解除することができる。
【００６０】
このように、本実施の形態においては、設定確認条件が成立すると、表示部３１に設定確認画面ｇ６が形成され、該設定確認画面ｇ６に、射出成形機１１において設定可能な各オプション機能について、オプション機能の名称、オプション機能の設定状態、オプション機能を設定するための設定画面の名称、及びオプション機能を設定するための操作部３２の機能キー、アップキー「ＵＰ」及びダウンキー「ＤＯＷＮ」が一覧で表示されるので、前回の成形時に選択された所定のオプション機能の設定が残っているかどうか、設定状態を確認することができる。したがって、コア部材又は加工部材を備えていない金型装置が使用されているにもかかわらずコア部材駆動機構又は突出機構を作動させてしまうことがなくなるので、金型装置を破損させることがない。
【００６１】
なお、本発明は前記実施の形態に限定されるものではなく、本発明の趣旨に基づいて種々変形させることが可能であり、それらを本発明の範囲から排除するものではない。
【図面の簡単な説明】
【００６２】
【図１】本発明の実施の形態における射出成形機の制御ブロック図である。
【図２】本発明の実施の形態における射出成形機の斜視図である。
【図３】本発明の実施の形態における制御パネルの例を示す図である。
【図４】本発明の実施の形態における設定画面の遷移の体系図である。
【図５】本発明の実施の形態における型開閉の設定を行う際の設定画面の遷移の例を示す第１の図である。
【図６】本発明の実施の形態における型開閉の設定を行う際の設定画面の遷移の例を示す第２の図である。
【図７】本発明の実施の形態における型開閉の設定を行う際の設定画面の遷移の例を示す第３の図である。
【図８】本発明の実施の形態における型開閉の設定を行う際の設定画面の遷移の例を示す第４の図である。
【図９】本発明の実施の形態における型開閉の設定を行う際の設定画面の遷移の例を示す第５の図である。
【図１０】本発明の実施の形態における型開閉の設定を行う際の設定画面の遷移の例を示す第６の図である。
【図１１】本発明の実施の形態における設定確認画面の例を示す図である。
【符号の説明】
【００６３】
１１    射出成形機
３１    表示部
３２    操作部
ｇ６    設定確認画面
【図１】
2010105280.tif 000003
【図２】
2010105280.tif 000004
【図３】
2010105280.tif 000005
【図４】
2010105280.tif 000006
【図５】
2010105280.tif 000007
【図６】
2010105280.tif 000008
【図７】
2010105280.tif 000009
【図８】
2010105280.tif 000010
【図９】
2010105280.tif 000011
【図１０】
2010105280.tif 000012
【図１１】
2010105280.tif 000013